(57)【要約】【課題】映像の鮮鋭感およびＳ／Ｎ比を保ってコントラストを補正することができる映像補正回路および映像表示装置を提供する。【解決手段】平均輝度レベル算出回路２２とヒストグラム算出回路２３とを設ける。平均輝度レベル算出回路２２で算出された平均輝度レベル値と、ヒストグラム算出回路２３で算出された輝度レベルのヒストグラムとに応じて、ＮＲ回路２５による映像信号のノイズ成分の低減度合を規定するノイズリダクション強度値、およびコントラスト補正回路２６によるコントラスト補正に用いられる階調補正係数を映像処理コントローラ２４によって設定する。【選択図】図１
2010220030.tif 000002
【特許請求の範囲】
【請求項１】
入力される映像信号を構成する複数の画素の平均輝度レベルを表す平均輝度レベル値を取得する平均輝度レベル取得手段と、
前記映像信号を構成する複数の画素の輝度レベルの度数分布を表すヒストグラムを取得するヒストグラム取得手段と、
前記映像信号に対して、前記映像信号に含まれるノイズ成分を、予め定められるノイズリダクション強度値に応じて低減するノイズリダクション処理を行うノイズリダクション手段と、
前記映像信号を構成する各画素の輝度レベルを、予め定められる階調補正係数を用いて補正することによって、前記映像信号の表す映像のコントラストを補正するコントラスト補正手段と、
前記平均輝度レベル取得手段で取得される平均輝度レベル値、および前記ヒストグラム取得手段で取得されるヒストグラムに応じて、前記ノイズリダクション強度値を設定する強度値設定手段と、
前記平均輝度レベル取得手段で取得される平均輝度レベル値、および前記ヒストグラム取得手段で取得されるヒストグラムに応じて、前記階調補正係数を設定する補正係数設定手段とを備えることを特徴とする映像補正回路。
【請求項２】
前記ヒストグラム取得手段で取得されるヒストグラムで表される前記輝度レベルの度数分布が、前記ヒストグラムを区分する複数の輝度レベル領域の少なくとも１つに割当てられる階調値の範囲を拡大するように前記コントラスト補正手段によって補正するべき要階調拡大状態であるとき、
前記強度値設定手段は、前記ノイズリダクション強度値を、前記要階調拡大状態でないときよりも大きく設定し、
前記補正係数設定手段は、前記階調値の範囲が拡大される輝度レベル領域の前記階調補正係数を、予め定める基準補正係数よりも大きく設定し、
前記輝度レベルの度数分布が前記要階調拡大状態でないとき、
前記強度値設定手段は、前記ノイズリダクション強度値を、前記要階調拡大状態であるときよりも小さく設定することを特徴とする請求項１に記載の映像補正回路。
【請求項３】
請求項１または２に記載の映像補正回路と、
前記映像補正回路から出力される映像信号に基づいて、映像を表示する表示手段とを備えることを特徴とする映像表示装置。
【発明の詳細な説明】
【技術分野】
【０００１】
本発明は、映像補正回路および映像表示装置に関し、より詳細には、映像信号をコントラスト補正する映像補正回路、および前記映像補正回路から出力された映像信号に基づいて映像を表示する液晶ディスプレイなどの映像表示装置に関する。
【背景技術】
【０００２】
液晶ディスプレイなどの映像表示装置では、デジタル処理が行われるので、表示に使用される階調数が有限値であり、輝度およびコントラストが取りにくい。このような輝度およびコントラストが取りにくいデバイスに、平均輝度レベルの変動が大きいテレビ映像などを表示する場合の技術として、映像信号の輝度レベルの度数分布を表すヒストグラムに応じて最適なガンマ補正を行い、コントラストの補正または階調の再現性の向上を図る技術が提案されている（たとえば、特許文献１参照）。
【０００３】
ガンマ補正によって、コントラストの改善または特定階調部分の再現性の改善を行った場合、映像の信号対雑音比（Signal to Noise ratio；略称：Ｓ／Ｎ比）が悪化してしまう場合がある。そこで、従来技術の映像表示装置では、表示する映像のＳ／Ｎ比を改善するために、ノイズリダクション（Noise Reduction；略称：ＮＲ）処理が行われる。ＮＲ処理は、映像のＳ／Ｎ比を改善できる反面、映像の鮮鋭感、すなわちシャープネスを低下させてしまうという問題がある。
【０００４】
このような問題の改善策として、映像の平均輝度レベルに応じてＮＲ処理の強度を適応的に制御するノイズリダクション制御装置が提案されている（たとえば、特許文献２参照）。特許文献２に開示されるノイズリダクション制御装置では、平均輝度レベルの高い映像に対してはＮＲ処理の強度を下げて、映像の鮮鋭感を保ち、平均輝度レベルの低い映像に対してはＮＲ処理の強度を上げて、映像のＳ／Ｎ比の改善を図っている。
【先行技術文献】
【特許文献】
【０００５】
【特許文献１】特開平８−２３４６０号公報
【特許文献２】特開２００１−３６７７０号公報
【発明の概要】
【発明が解決しようとする課題】
【０００６】
前述の特許文献１に開示される技術のように、ガンマ補正によってコントラストの補正および階調の再現性の改善を行う場合、特に低階調部分、換言すれば映像では比較的暗い部分の階調拡大を行うと、ノイズ成分も拡大されることになり、Ｓ／Ｎ比が悪化することがあるという問題がある。
【０００７】
また特許文献２に開示される技術では、平均輝度レベルに応じてＮＲ処理の強度を変えているが、同一平均輝度レベルの映像でも、映像の内容によっては、明るい部分が存在する場合がある。この場合に、平均輝度レベルの低い映像であると判断してＮＲ処理の強度を上げると、明るい部分についても鮮鋭感が低下してしまうという問題がある。
【０００８】
したがって本発明の目的は、映像の鮮鋭感およびＳ／Ｎ比を保ってコントラストを補正することができる映像補正回路および映像表示装置を提供することである。
【課題を解決するための手段】
【０００９】
本発明の映像補正回路は、入力される映像信号を構成する複数の画素の平均輝度レベルを表す平均輝度レベル値を取得する平均輝度レベル取得手段と、前記映像信号を構成する複数の画素の輝度レベルの度数分布を表すヒストグラムを取得するヒストグラム取得手段と、前記映像信号に対して、前記映像信号に含まれるノイズ成分を、予め定められるノイズリダクション強度値に応じて低減するノイズリダクション処理を行うノイズリダクション手段と、前記映像信号を構成する各画素の輝度レベルを、予め定められる階調補正係数を用いて補正することによって、前記映像信号の表す映像のコントラストを補正するコントラスト補正手段と、前記平均輝度レベル取得手段で取得される平均輝度レベル値、および前記ヒストグラム取得手段で取得されるヒストグラムに応じて、前記ノイズリダクション強度値を設定する強度値設定手段と、前記平均輝度レベル取得手段で取得される平均輝度レベル値、および前記ヒストグラム取得手段で取得されるヒストグラムに応じて、前記階調補正係数を設定する補正係数設定手段とを備えることを特徴とする。
【００１０】
本発明の映像表示装置は、前記映像補正回路と、前記映像補正回路から出力される映像信号に基づいて、映像を表示する表示手段とを備えることを特徴とする。
【発明の効果】
【００１１】
本発明の映像補正回路によれば、入力される映像信号を構成する複数の画素の平均輝度レベルを表す平均輝度レベル値が平均輝度レベル取得手段によって取得され、輝度レベルの度数分布を表すヒストグラムがヒストグラム取得手段によって取得される。取得された平均輝度レベル値およびヒストグラムに応じて、強度値設定手段によってノイズリダクション強度値が設定され、補正係数設定手段によって階調補正係数が設定される。設定されたノイズリダクション強度値に応じて、映像信号に含まれるノイズ成分を低減するノイズリダクション処理がノイズリダクション手段によって行われる。このノイズリダクション処理が行われた映像信号を構成する各画素の輝度レベルが、設定された階調補正係数を用いてコントラスト補正手段によって補正され、映像信号の表す映像のコントラストが補正される。
【００１２】
ノイズリダクション強度値および階調補正係数は、平均輝度レベル値および輝度レベルの度数分布を表すヒストグラムに応じて設定されるので、コントラストの補正に用いられる階調補正係数の設定状況に合わせて、ノイズリダクション強度値を変更して、ノイズ成分の低減度合を変更することができる。たとえば、ヒストグラムを区分する複数の輝度レベル領域の少なくとも１つが低階調であり、その低階調の輝度レベル領域に割当てられた階調値の範囲を拡大するように階調補正係数が設定される場合のみ、ノイズリダクション強度値を前記階調値の範囲を拡大するように階調補正係数が設定されない場合よりも大きくして、ノイズリダクション処理を行うように構成することができる。
【００１３】
これによって、ノイズリダクション処理による映像の鮮鋭感の低下を抑制することができるので、映像の鮮鋭感の低下を抑制しつつ、Ｓ／Ｎ比を改善することができる。したがって、映像の鮮鋭感およびＳ／Ｎ比を保って、コントラストを補正することができる。
【００１４】
本発明の映像表示装置によれば、前述の本発明の映像補正回路と表示手段とを備えて、映像表示装置が構成される。本発明の映像補正回路は、前述のように、映像の鮮鋭感およびＳ／Ｎ比を保って、コントラストを補正することができる。このような映像補正回路から出力される映像信号に基づいて、表示手段によって映像が表示されるので、コントラストが高く、鮮鋭感に優れた明瞭な映像を表示することができる。
【図面の簡単な説明】
【００１５】
【図１】本発明の実施の一形態である映像補正回路１２を備える映像表示装置１の構成を示すブロック図である。
【図２】映像信号の輝度レベルの度数分布を表すヒストグラムの一例を示す図である。
【図３】ヒストグラム算出回路２３で算出されたヒストグラムと、当該ヒストグラムを区分する複数の輝度レベル領域のコントラスト補正に適用される補正曲線とを示すグラフである。
【図４】ヒストグラム算出回路２３で算出された他のヒストグラムと、当該ヒストグラムを区分する複数の輝度レベル領域のコントラスト補正に適用される補正曲線とを示すグラフである。
【図５】映像補正回路１２の動作の処理手順を示すフローチャートである。
【発明を実施するための形態】
【００１６】
図１は、本発明の実施の一形態である映像補正回路１２を備える映像表示装置１の構成を示すブロック図である。映像表示装置１は、映像信号入力端子１０、受信部１１、映像補正回路１２および表示部１３を備えて構成される。表示部１３は、表示手段に相当する。
【００１７】
映像信号入力端子１０には、テレビジョン受像機およびコンピュータなどで用いられている所定の形式の映像信号が入力される。受信部１１は、映像信号入力端子１０に入力された映像信号を受信して、この映像信号を映像補正回路１２で処理可能な形式に変換して、映像補正回路１２に与える。たとえば受信部１１は、入力された映像信号を、輝度信号を含むいくつかのデジタル形式の映像信号に変換して、映像補正回路１２に与える。
【００１８】
映像補正回路１２は、回路入力端子２１、平均輝度レベル（Average Picture Level；略称：ＡＰＬ）算出回路２２、ヒストグラム算出回路２３、映像処理コントローラ２４、ノイズリダクション（Noise Reduction；略称：ＮＲ）回路２５、コントラスト補正回路２６および回路出力端子２７を備えて構成される。ＡＰＬ算出回路２２は平均輝度レベル取得手段に相当し、ヒストグラム算出回路２３はヒストグラム取得手段に相当し、ＮＲ回路２５はノイズリダクション手段に相当し、コントラスト補正回路２６はコントラスト補正手段に相当し、映像処理コントローラ２４は強度値設定手段および補正係数設定手段に相当する。
【００１９】
映像補正回路１２に入力された映像信号は、回路入力端子２１を介してＡＰＬ算出回路２２、ヒストグラム算出回路２３およびＮＲ回路２５にそれぞれ与えられる。ＡＰＬ算出回路２２は、たとえば映像信号の１フレーム、すなわち表示映像１枚分の輝度レベルの平均値である平均輝度レベル（ＡＰＬ）値を算出し、算出したＡＰＬ値のデータを映像処理コントローラ２４に与える。
【００２０】
ＡＰＬ値は、より詳細には、映像信号の１フレームである表示映像１枚分を構成する複数の画素の輝度レベルの平均である平均輝度レベルを表す。ＡＰＬの値の一例としては、映像信号の全てが黒色を表す全黒信号の場合は０％であり、映像信号の全てが白色を表す全白信号の場合は１００％であり、輝度レベルが半分のグレー信号の場合は５０％である。
【００２１】
ヒストグラム算出回路２３は、映像信号の輝度レベルを所定の画素、または画素ブロック毎に検出し、たとえば、１フレーム毎の度数分布を算出する。ヒストグラム算出回路２３によって算出される輝度レベルの度数分布データ（以下「ヒストグラムデータ」という場合がある）は、映像処理コントローラ２４に与えられる。
【００２２】
図２は、映像信号の輝度レベルの度数分布を表すヒストグラムの一例を示す図である。図２の横軸は輝度レベルを表し、縦軸は各輝度レベル領域の度数、すなわち各輝度レベル領域に属する輝度レベルを有する画素の数を表す。本実施の形態では、映像信号の輝度レベルを表す輝度信号は、８ビットのデータで構成されており、輝度レベルの階調数は２５６であり、輝度レベル（以下「階調値」という場合がある）は「０」から「２５５」までの値をとる。図２に示すヒストグラムは、輝度レベルを、０以上６３未満、６３以上１２７未満、１２７以上１９１未満、１９１以上２５５以下の４つに区分した場合の度数分布を表す。ヒストグラムを区分する各領域を、輝度レベル領域という。映像信号の輝度信号は、８ビットで表されるものに限定されるものではなく、たとえば１０ビットまたは６ビットで表されるものであってもよい。
【００２３】
図１に戻って、映像処理コントローラ２４は、ＡＰＬ算出回路２２から与えられるＡＰＬ値のデータ、およびヒストグラム算出回路２３から与えられるヒストグラムデータに基づいて、ＮＲ回路２５およびコントラスト補正回路２６を制御する。
【００２４】
ＮＲ回路２５は、映像処理コントローラ２４から与えられる所定の制御信号に基づいて、受信部１１から与えられた映像信号に含まれるノイズ成分を低減して、映像信号のノイズレベルを低減する。ＮＲ回路２５によってノイズレベルが低減された映像信号は、コントラスト補正回路２６に与えられる。
【００２５】
具体的に述べると、ＮＲ回路２５は、映像信号に含まれるノイズ成分を、予め定められるノイズリダクション強度値に応じて低減する。ノイズリダクション強度値は、ＡＰＬ算出回路２２で算出されるＡＰＬ値、およびヒストグラム算出回路２３で算出されるヒストグラムに応じて、映像処理コントローラ２４によって設定される。
【００２６】
たとえば、ヒストグラム算出回路２３で算出されたヒストグラムで表される輝度レベルの度数分布が要階調拡大状態であるとき、ノイズリダクション強度値は、要階調拡大状態でないときよりも大きく設定される。また前述のヒストグラムで表される輝度レベルの度数分布が要階調拡大状態でないとき、ノイズリダクション強度値は、要階調拡大状態であるときよりも小さく設定される。ここで、「要階調拡大状態」とは、コントラスト補正回路２６によって、ヒストグラムを区分する複数の輝度レベル領域の少なくとも１つに割当てられる階調値の範囲を拡大するように補正するべき状態をいう。
【００２７】
コントラスト補正回路２６は、映像処理コントローラ２４から与えられる所定の制御信号に基づいて、ＮＲ回路２５から与えられる映像信号のコントラストを補正する。コントラスト補正回路２６によってコントラストが補正された映像信号は、表示部１３に与えられる。
【００２８】
具体的に述べると、コントラスト補正回路２６は、ＮＲ回路２５から与えられる映像信号を構成する各画素の輝度レベルを、予め定められる階調補正係数を用いて補正することによって、映像信号のコントラスト、より詳細には映像信号の表す映像のコントラストを補正する。
【００２９】
階調補正係数は、ＡＰＬ算出回路２２で算出されるＡＰＬ値、およびヒストグラム算出回路２３で算出されるヒストグラムに応じて、映像処理コントローラ２４によって設定される。階調補正係数は、初期状態では、予め定める基準補正係数に設定されているが、映像処理コントローラ２４から与えられる制御信号に基づいて、基準補正係数よりも大きい値、または小さい値に変更される。たとえば、ヒストグラム算出回路２３で算出されたヒストグラムで表される輝度レベルの度数分布が要階調拡大状態であるとき、階調補正係数は、基準補正係数よりも大きく設定される。
【００３０】
表示部１３は、コントラスト補正回路２６から出力された映像信号に基づいて、表示するべき映像を表示画面に表示する。表示部１３は、たとえば液晶ディスプレイ、エレクトロルミネッセンスディスプレイ、またはプラズマディスプレイなどによって実現される。
【００３１】
図３は、ヒストグラム算出回路２３で算出されたヒストグラムと、当該ヒストグラムを区分する複数の輝度レベル領域のコントラスト補正に適用される補正曲線とを示すグラフである。図３の横軸は補正前の輝度レベルを示し、左縦軸は補正後の輝度レベルを示し、右縦軸は輝度レベルの度数を示す。コントラスト補正回路２６は、入力される映像信号に含まれる輝度信号に対して、図３の折れ線で示される補正曲線に基づいて補正を行う。補正曲線は、各輝度レベル領域では直線になっており、その直線の傾き、すなわち直線の微分係数が、前述の階調補正係数に相当する。図３において、補正曲線に重ね合わせて示される棒グラフであるヒストグラムは、ヒストグラム算出回路２３で算出された輝度レベルのヒストグラムの他の例である。映像処理コントローラ２４は、ヒストグラムの状態、すなわち輝度レベルの度数分布状態に応じて、折れ線の傾き、すなわち各輝度レベル領域における補正曲線の傾きである階調補正係数を制御する。
【００３２】
図３に示す例では、中間調部分、具体的には、輝度レベルが６３以上１２７未満の輝度レベル領域、および輝度レベルが１２７以上１９１未満の輝度レベル領域の度数が大きいヒストグラムになっている。このような分布状態は、前述の要階調拡大状態の一例である。このようにヒストグラムが中間調部分の度数が大きい状態である場合、その中間調部分の再現性を高めるために、中間調部分では、折れ線の傾きである階調補正係数を、予め定める基準補正係数よりも大きくして、階調を拡大、具体的には、輝度レベル領域に割当てられる階調値の範囲を拡大している。
【００３３】
このように本実施の形態では、輝度レベルのヒストグラム分布で輝度レベル領域の度数に着目し、その度数によって階調補正係数を定め、度数の大きいところを階調拡大する。具体的には、中間調部分に着目し、中間調部分の度数が、他の部分の度数よりも大きい場合に階調を拡大する。さらに具体的には、中間調部分である輝度レベルが６３以上１９１未満である領域に着目し、この中間調部分の度数が、輝度レベルが０以上６３未満と小さい領域の度数よりも大きい場合、および中間調部分の度数が、輝度レベルが１９１以上２５５以下と大きい領域の度数よりも大きい場合に階調拡大を行う。つまり、中間調部分の度数が、他の部分の度数よりも大きい分布状態を要階調拡大状態として、階調拡大を行う基準としている。
【００３４】
階調拡大を行う基準は、これに限定されるものではなく、たとえば、中間調部分の低輝度側の領域のみに着目し、この領域の度数が所定の割合を超える場合に、階調を拡大するようにしてもよい。つまり、中間調部分の低輝度側の領域の度数が所定の割合を超える状態を要階調拡大状態として、階調拡大を行う基準としてもよい。具体的には、中間調部分の低輝度側の領域である輝度レベルが６３以上１２７未満である領域のみに着目し、この領域の度数が所定の割合、たとえば全体の度数の２５％を超えている場合に、階調を拡大するようにしてもよい。
【００３５】
基準補正係数としては、ＡＰＬ値に応じた複数の基準補正係数が、図示しない記憶部に予め記憶されている。これらの基準補正係数の中から、ＡＰＬ算出回路２２で算出されたＡＰＬ値に基づいて、そのＡＰＬ値に対応する基準補正係数が映像処理コントローラ２４によって選択され、この選択された基準補正係数が、階調補正係数を設定するための基準として用いられる。
【００３６】
前述のように階調拡大を行うと、コントラスト感は向上するが、ノイズ成分も同様に強調されてしまう。そこで、本実施の形態では、このようなコントラスト補正となる場合には、コントラスト補正回路２６の前段のＮＲ回路２５で、ノイズリダクションを強めにかけるように、映像処理コントローラ２４によってＮＲ回路２５を制御する。具体的には、映像処理コントローラ２４は、ＮＲ回路２５で用いられるノイズリダクション強度値を要階調拡大状態でないときよりも大きく設定し、この大きく設定されたノイズリダクション強度値に応じてノイズ成分を低減するように、ＮＲ回路２５を制御する。
【００３７】
図４は、ヒストグラム算出回路２３で算出された他のヒストグラムと、当該ヒストグラムを区分する複数の輝度レベル領域のコントラスト補正に適用される補正曲線とを示すグラフである。図４の横軸は補正前の輝度レベルを示し、左縦軸は補正後の輝度レベルを示し、右縦軸は輝度レベルの度数を示す。図４に示すヒストグラムは、図３と同程度のＡＰＬ値となる映像信号のヒストグラムの例である。
【００３８】
図４に示す例では、輝度レベルが０以上６３未満と小さい領域、および輝度レベルが１９１以上２５５以下と大きい領域の度数が大きく、ヒストグラムがコントラストの充分に高い分布状態になっている。これは、要階調拡大状態でない場合の一例である。具体的に述べると、図４に示す例では、前述のように中間調部分である輝度レベルが６３以上１９１未満である領域に着目したとき、この領域の度数が、輝度レベルが０以上６３未満と小さい領域の度数よりも小さく、また輝度レベルが１９１以上２５５以下と大きい領域の度数よりも小さくなっている。したがって、図４に示す状態は、要階調拡大状態ではなく、コントラストが充分に高い状態であるので、映像処理コントローラ２４は、階調拡大の制御は行わない。
【００３９】
具体的に述べると、映像処理コントローラ２４によって階調補正係数を設定するときの基準となる基準補正係数は、たとえば、ＡＰＬ値が大きければ明るい映像（ＡＰＬ値が大きい＝明るい映像）、ＡＰＬ値が小さければ暗い映像（ＡＰＬ値が小さい＝暗い映像）という基準で、ＡＰＬ値が大きい場合には、低輝度側に階調拡大を行い、ＡＰＬ値が小さい場合には、高輝度側に階調拡大を行うように定められる。
【００４０】
このようにして定められる基準補正係数は、輝度レベルのヒストグラム分布における輝度レベル領域の度数に応じて、度数が大きいところを階調拡大するように定めた場合の諧調補正係数とほぼ合致するが、本実施の形態では、ほぼ同等のＡＰＬ値でもヒストグラムの分布状態で補正が異なる。たとえば、前述の図３の場合と図４の場合とでは補正が異なり、図４に示すように低輝度側と高輝度側との両側に分布が集中している場合には、補正を抑えるようにする。したがって、図４に示す例では、映像処理コントローラ２４は、階調拡大の制御を行わない。
【００４１】
このように階調拡大の制御を行わない場合、コントラスト補正によって、必要以上にノイズ成分が強調されることがないので、コントラスト補正回路２６の前段のＮＲ回路２５のノイズリダクション強度値を要階調拡大状態であるときよりも小さくするように映像処理コントローラ２４によって制御することができる。
【００４２】
ノイズリダクション強度値としては、ＡＰＬ値に応じた複数の値が準備されており、図示しない記憶部に予め記憶されている。これらのＡＰＬ値に対応するノイズリダクション強度値の群の中から、ＡＰＬ算出回路２２で算出されたＡＰＬ値に基づいて、ＡＰＬ値に対応するノイズリダクション強度値の群が映像処理コントローラ２４によって選択され、この選択された群の中から、ノイズリダクション強度値が選択される。
【００４３】
具体的に述べると、ＡＰＬ値が大きい、すなわち明るい映像ほど、ノイズリダクション強度値は、抑える方向に制御される。またノイズリダクション強度値は、前述のように輝度レベルのヒストグラム分布に応じて制御される。具体的には、輝度レベルのヒストグラム分布において、低輝度部分の分布が大きいほど、ノイズリダクション強度値は、上げるように制御されるが、前述の図４に示す例のように、低輝度側と高輝度側との両側に輝度レベルが分布し、階調拡大の補正が抑えられる場合には、ノイズリダクション強度値は抑えられる。
【００４４】
このように本実施の形態では、ＡＰＬ値だけでなく、輝度レベルの度数分布を表すヒストグラムに応じて、ノイズリダクション強度値が設定される。これによって、同程度のＡＰＬ値であっても、輝度レベルの度数分布を表すヒストグラムを参照して、そのヒストグラムに適するように、ノイズリダクション強度値を制御することができる。したがって、ＮＲ処理による鮮鋭感の低下を抑制することができる。
【００４５】
図５は、映像補正回路１２の動作の処理手順を示すフローチャートである。図５に示すフローチャートにおける各処理は、映像補正回路１２の各部によって実行される。図５に示すフローチャートの処理は、映像補正回路１２に映像信号が入力されると開始され、ステップＳ１に移行する。
【００４６】
ステップＳ１において、ＡＰＬ算出回路２２は、入力された映像信号の平均輝度レベル（ＡＰＬ）値を算出して、ステップＳ２に移行する。ステップＳ２において、ヒストグラム算出回路２３は、入力された映像信号について、輝度レベルの度数分布を表すヒストグラムを算出して、ステップＳ３に移行する。
【００４７】
ステップＳ３において、映像処理コントローラ２４は、ステップＳ１で算出されたＡＰＬ値と、ステップＳ２で算出された輝度レベルのヒストグラムとに基づいて、ヒストグラムで表される輝度レベルの度数分布が要階調拡大状態であるか否か、より詳細には、階調を拡大するべき輝度レベル領域があるか否かを判断する。ステップＳ３において、映像処理コントローラ２４が、階調を拡大するべき輝度レベル領域があると判断した場合はステップＳ４に移行し、階調を拡大するべき輝度レベル領域がないと判断した場合はステップＳ６に移行する。
【００４８】
ステップＳ４において、映像処理コントローラ２４は、ノイズリダクション回路２５によるノイズ成分の低減度合を規定するノイズリダクション強度値を、要階調拡大状態でないときよりも大きく設定して、ステップＳ５に移行する。
【００４９】
ステップＳ５において、映像処理コントローラ２４は、ステップＳ３において階調を拡大するべきと判断された輝度レベル領域の階調補正係数を、予め定める基準補正係数よりも大きく設定して、ステップＳ７に移行する。
【００５０】
ステップＳ３からステップＳ６に移行した場合は、ステップＳ６において、映像処理コントローラ２４は、ノイズリダクション回路２５によるノイズ成分の低減度合を規定するノイズリダクション強度値を、要階調拡大状態であるときよりも小さく設定して、ステップＳ７に移行する。
【００５１】
ステップＳ７において、ノイズリダクション回路２５は、映像処理コントローラ２４によって設定されたノイズリダクション強度値に応じて、映像信号に含まれるノイズを低減して、ステップＳ８に移行する。
【００５２】
ステップＳ８において、コントラスト補正回路２６は、映像処理コントローラ２４によって設定された階調補正係数を用いて、映像信号を構成する各画素の輝度レベルを補正する。ステップＳ８において、コントラスト補正処理が終了すると、全ての処理手順を終了する。
【００５３】
以上のように本実施の形態によれば、映像処理コントローラ２４は、ＡＰＬ算出回路２２によって算出されたＡＰＬ値と、ヒストグラム算出回路２３によって算出された輝度レベルの度数分布を表すヒストグラムとに応じて、ＮＲ回路２５によるノイズ成分の低減度合を規定するノイズリダクション強度値、およびコントラスト補正回路２６で用いられる階調補正係数を設定する。この映像処理コントローラ２４によって設定されたノイズリダクション強度値に応じて、映像信号に対して、ノイズリダクション回路２５によってノイズリダクション処理が行われる。その後、映像処理コントローラ２４によって設定された階調補正係数を用いて、コントラスト補正回路２６によって映像信号の輝度レベルが補正される。これによって、映像信号の表す映像のコントラストが補正される。
【００５４】
ノイズリダクション強度値および階調補正係数は、ＡＰＬ値および輝度レベルの度数分布を表すヒストグラムに応じて設定されるので、コントラストの補正に用いられる階調補正係数の設定状況に合わせて、ノイズリダクション強度値を変更して、ノイズ成分の低減度合を変更することができる。
【００５５】
たとえば前述の図３に示すように、ヒストグラム算出回路２３で算出されたヒストグラムで表される輝度レベルの度数分布が要階調拡大状態であるとき、映像処理コントローラ２４は、ＮＲ回路２５におけるノイズリダクション強度値を要階調拡大状態でないときよりも大きく設定するとともに、階調拡大するべき輝度レベル領域の階調補正係数を基準補正係数よりも大きく、具体的には、図３に示す補正曲線の傾きを、基準となる他の領域の補正曲線の傾きよりも大きく設定する。
【００５６】
このようにヒストグラムを区分する複数の輝度レベル領域の少なくとも１つ、図３に示す例では中間調部分が低階調であり、その低階調の輝度レベル領域に割当てられた階調値の範囲を拡大するように階調補正係数が設定される場合のみ、要階調拡大状態でないときよりもノイズリダクション強度値を大きくして、ノイズリダクション処理を行うように構成することができる。
【００５７】
これによって、ノイズリダクション処理による映像の鮮鋭感の低下を抑制することができるので、映像の鮮鋭感の低下を抑制しつつ、Ｓ／Ｎ比を改善することができる。したがって、映像の鮮鋭感およびＳ／Ｎ比を保って、コントラストを補正することができる。
【００５８】
また前述の図４に示すように、ヒストグラム算出回路２３で算出されたヒストグラムで表される輝度レベルの度数分布が要階調拡大状態でないとき、コントラスト補正によって、必要以上にノイズ成分が強調されることがないので、映像処理コントローラ２４は、各輝度レベル領域の階調補正係数は基準補正係数のままにして、ＮＲ回路２５におけるノイズリダクション強度値を要階調拡大状態であるときよりも小さく設定する。これによって、映像のＳ／Ｎ比を保って、ノイズリダクション処理による映像の鮮鋭感の低下を一層抑制することができる。
【００５９】
また本実施の形態によれば、前述のような優れた映像補正回路１２と表示部１３とを備えて、映像表示装置１が構成される。映像補正回路１２は、前述のように、映像の鮮鋭感およびＳ／Ｎ比を保って、コントラストを補正することができる。このような映像補正回路１２から出力される映像信号に基づいて、表示部１３によって映像が表示されるので、コントラストが高く、鮮鋭感に優れた明瞭な映像を表示することができる。
【符号の説明】
【００６０】
１  映像表示装置、１０  映像信号入力端子、１１  受信部、１２  映像補正回路、１３  表示部、２１  回路入力端子、２２  平均輝度レベル算出回路、２３  ヒストグラム算出回路、２４  映像処理コントローラ、２５  ノイズリダクション回路、２６  コントラスト補正回路、２７  回路出力端子。
【図１】
2010220030.tif 000003
【図２】
2010220030.tif 000004
【図３】
2010220030.tif 000005
【図４】
2010220030.tif 000006
【図５】
2010220030.tif 000007